(57)【要約】【課題】  画面に表示されたものを拡大する画面拡大レンズを提供する。【解決手段】  画面拡大レンズ１０は、ノート型コンピュータ２０等に設けられた画面２２の前方に所定の距離をおいて配設されている。そして画面拡大レンズ１０には、円形または直線に溝が切られたフレネルレンズを用いている。画面拡大レンズ１０に円形に溝が切られたフレネルレンズを用いる場合、その中心は、画面２２の下部における左右方向の中央部に一致させて配置されている。これにより画面２２に表示されるものを上方向および左右方向に均等にして、画面２２よりも大きく拡大することができる。【選択図】    図１
2007033615.tif 000002
【特許請求の範囲】
【請求項１】
画面に表示されたものを拡大する画面拡大レンズにおいて、
前記画面よりも大きなフレネルレンズを前記画面の前方に配設し、円形に溝が切られた前記フレネルレンズの中心部を前記画面の下部における左右方向の中央部に一致させたことを特徴とする画面拡大レンズ。
【請求項２】
画面に表示されたものを拡大する画面拡大レンズにおいて、
前記画面よりも大きなフレネルレンズを前記画面の前方に配設し、左右方向に溝が切られた前記フレネルレンズの中心部を前記画面の下部に一致させたことを特徴とする画面拡大レンズ。
【請求項３】
画面に表示されたものを拡大する画面拡大レンズにおいて、
前記画面よりも大きなフレネルレンズを前記画面の前方に配設し、上下方向に溝が切られた前記フレネルレンズの中心部を前記画面の左右方向の中央部に一致させたことを特徴とする画面拡大レンズ。
【請求項４】
画面に表示されたものを拡大する画面拡大レンズにおいて、
前記画面よりも大きなフレネルレンズを前記画面の前方に配設し、左右方向および上下方向に溝が切られた前記フレネルレンズの中心部を前記画面の下部における左右方向の中央部に一致させたことを特徴とする画面拡大レンズ。
【発明の詳細な説明】
【技術分野】
【０００１】
本発明は、画面拡大レンズに係り、特にノート型コンピュータの画面を拡大するのに好適な画面拡大レンズに関する。
【背景技術】
【０００２】
ノート型コンピュータ等の画面に限ることなく、例えばテレビ等を含めて、大きな画面で表示されるものを見たいという要望がある。ところで大型の画面は高価なので、これを用いたコンピュータ等も当然高価になってしまう。またコンピュータ等の大きさによっては、大型の画面を用いることができない場合もある。このようなことからノート型コンピュータには、小型の画面が用いられている場合がある。
【０００３】
しかし小型の画面では、画面に表示されるものが小さくなり、見づらいものとなってしまうので、パーソナルコンピュータ等の画面の前方に画面拡大レンズを配設し、画面に表示されるものを拡大して見やすくしている。なお画面拡大レンズについて開示されたものとしては、例えば特許文献１，２がある。
【特許文献１】実開平６−２６３８０号公報
【特許文献２】実用新案登録第３０７８０１６号公報
【発明の開示】
【発明が解決しようとする課題】
【０００４】
ノート型コンピュータ等は、キーボード等が設けられた本体と、この本体のうちの一辺に支持され、画面を備えた蓋体とを備えた構成である。このためノート型コンピュータの画面の前面に配設された画面拡大レンズは、画面の下方にキーボード等があるので、画面よりも下方向に大きなものを用いることができなかった。
【０００５】
そしてフレネルレンズの中心をパソコン画面の中心に合わせた場合において、画面よりも大きな画面拡大レンズを用いて画面全体を画面よりも大きく拡大するときには、画面の左右方向および上方向には拡大できるが、下方向には拡大できなくなってしまう。したがって画面全体を均等に拡大できないという問題があった。
本発明は、画面に表示されたものを拡大する画面拡大レンズを提供することを目的とする。
【課題を解決するための手段】
【０００６】
上記目的を達成するために、本発明に係る画面拡大レンズは、画面に表示されたものを拡大する画面拡大レンズにおいて、前記画面よりも大きなフレネルレンズを前記画面の前方に配設し、円形に溝が切られた前記フレネルレンズの中心部を前記画面の下部における左右方向の中央部に一致させたことを特徴としている。この場合、画面拡大レンズは、画面よりも上方向および左右方向に大きいことを特徴としている。これにより画面拡大レンズは、画面に表示されたものを上方向および左右方向に均等に拡大することができる。
【０００７】
また本発明に係る画面拡大レンズは、画面に表示されたものを拡大する画面拡大レンズにおいて、前記画面よりも大きなフレネルレンズを前記画面の前方に配設し、左右方向に溝が切られた前記フレネルレンズの中心部を前記画面の下部に一致させたことを特徴としている。この場合、画面拡大レンズは、画面よりも上方向に大きいことを特徴としている。これにより画面拡大レンズは、画面に表示されたものを上方向に拡大することができる。
【０００８】
また本発明に係る画面拡大レンズは、画面に表示されたものを拡大する画面拡大レンズにおいて、前記画面よりも大きなフレネルレンズを前記画面の前方に配設し、上下方向に溝が切られた前記フレネルレンズの中心部を前記画面の左右方向の中央部に一致させたことを特徴としている。この場合、画面拡大レンズは、画面よりも左右方向に大きいことを特徴としている。これにより画面拡大レンズは、画面に表示されたものを左右方向に均等に拡大することができる。
【０００９】
また本発明に係る画面拡大レンズは、画面に表示されたものを拡大する画面拡大レンズにおいて、前記画面よりも大きなフレネルレンズを前記画面の前方に配設し、左右方向および上下方向に溝が切られた前記フレネルレンズの中心部を前記画面の下部における左右方向の中央部に一致させたことを特徴としている。この場合、画面拡大レンズは、画面よりも上方向および左右方向に大きいことを特徴としている。これにより画面拡大レンズは、画面に表示されたものを上方向および左右方向に均等に拡大することができる。
【発明を実施するための最良の形態】
【００１０】
以下に、画面拡大レンズの最良の実施形態を説明する。図１は画面拡大レンズの使用状態を示す正面図である。図２は画面拡大レンズの使用状態を示す側面図である。画面拡大レンズ１０は、ノート型コンピュータ２０に設けられた画面２２の前方に配設されて、画面２２に表示されたものを拡大するものである。ノート型コンピュータ２０等は、キーボード２４等が設けられた本体２６と、この本体２６のうちの一辺に回転可能に支持されて、画面２２を備えた蓋体２８とを備えた構成である。そしてノート型コンピュータ２０は、支持されている部分を中心に蓋体２８を動かしてこれを開いたり、閉じたりする構成になっている。
【００１１】
まず第１の実施形態に係る画面拡大レンズ１０について説明する。画面拡大レンズ１０は、ノート型コンピュータ２０に設けられた画面２２から所定の距離をとりつつ、ノート型コンピュータ２０の本体２６上に載せられている。この画面拡大レンズ１０は、画面２２よりも大きく形成されており、特に、画面拡大レンズ１０の左右方向および上方向が画面２２に比べて大きく形成されている。
【００１２】
そして画面拡大レンズ１０は、円形に溝が切られたフレネルレンズを用いている。この画面拡大レンズ１０の中心部は、画面２２の下部における中央部に一致した位置に配置されている。すなわち画面拡大レンズ１０の中心部は、画面２２の下部における左右方向の中央部の前方に配置されている。そして特に、画面拡大レンズ１０の中心は、画面２２の下辺２３において、その左右方向の中央に一致した位置に配置されるのが好ましい。
【００１３】
このような画面拡大レンズ１０は、ノート型コンピュータ２０の画面２２のすぐ下にキーボード２４等があって画面２２を下方に拡大できない場合であっても、画面２２の下部を中心として左右方向および上方向に、画面２２よりも大きく均等に拡大することができる。
【００１４】
次に、第２の実施形態に係る画面拡大レンズ１０について説明する。画面拡大レンズ１０は、画面２２よりも大きく形成されており、具体的には、画面拡大レンズ１０の上方向が画面２２よりも大きく形成されている。この画面拡大レンズ１０は、画面２２の左右方向に沿って直線に溝が切られたリニアフレネルレンズを用いている。これは、画面２２を構成しているドットが左右方向および上下方向に沿って設けられているからであり、これに沿って溝を設けることにより画面２２を綺麗に拡大することができる。この場合、画面拡大レンズ１０の中心部は、画面２２の下部に一致した位置に配置されている。すなわち画面２２の下部の前方に画面拡大レンズ１０の中心部が配置されている。そして特に、画面拡大レンズ１０の中心が画面２２の下辺２３に一致した位置に配置されるのが好ましい。
【００１５】
このような画面拡大レンズ１０は、ノート型コンピュータ２０の画面２２のすぐ下にキーボード２４等があって、この画面２２を下方に拡大できない場合であっても、画面２２を上方向に均等に拡大することができる。そして画面拡大レンズ１０は、画面２２を構成しているドットに応じて溝を切っているので、綺麗な拡大画像を得ることができる。
【００１６】
次に、第３の実施形態に係る画面拡大レンズ１０について説明する。画面拡大レンズ１０は、画面２２よりも大きいものであり、具体的には、画面拡大レンズ１０の左右方向が画面２２よりも大きく形成されている。この画面拡大レンズ１０は、画面２２の上下方向に沿って直線に溝が切られたリニアフレネルレンズを用いている。これは、画面２２を構成しているドットが上下方向および左右方向に沿って設けられているからであり、これに沿って溝を設けることにより画面２２を綺麗に拡大することができる。この場合、画面拡大レンズ１０の中心部は、画面２２の中央部に一致した位置に配置されている。すなわち画面２２の左右方向の中央部に沿った前方に画面拡大レンズ１０の中央部が配置されている。そして特に、画面拡大レンズ１０の中心が画面２２の左右方向の中心に一致した位置に配置されるのが好ましい。
【００１７】
このような画面拡大レンズ１０は、ノート型コンピュータ２０の画面２２のすぐ下にキーボード２４等があってこの画面２２を下方に拡大できない場合であっても、画面２２を左右方向に均等に拡大することができる。そして画面拡大レンズ１０は  画面２２を構成しているドットに応じて溝を切っているので、綺麗な拡大画像を得ることができる。
【００１８】
次に、第４の実施形態に係る画面拡大レンズ１０について説明する。第４の実施形態に係る画面拡大レンズ１０は、第２の実施形態で説明した左右方向に溝が切られたリニアフレネルレンズと、第３の実施形態で説明した上下方向に溝が切られたリニアフレネルレンズとを組み合わせたものである。すなわち第４の実施形態に係る画面拡大レンズ１０は、左右方向に溝が切られたリニアフレネルレンズと、上下方向に溝が切られたリニアフレネルレンズを重ねて２枚構成としたもの、または１枚のフレネルレンズにおける一方の片面に上下方向の溝を設けるとともに、他方の片面に左右方向の溝を設けた構成である。なお画面拡大レンズ１０の中心部および中心は、第２，３の実施形態で説明した位置に配置されればよい。
【００１９】
すなわち画面拡大レンズ１０における左右方向に溝が切られたフレネルレンズの中心部は、画面２２の下部に一致した位置に配置されており、上下方向に溝が切られたフレネルレンズの中心部は、画面の横方向における中心部に沿って配置されている。そして特に、画面拡大レンズ１０における左右方向に溝が切られたフレネルレンズの中心は、画面２２の下辺２３に一致して配置され、また上下方向に溝が切られたフレネルレンズの中心は、画面２２の横方向における中心に沿って配置されるのが好ましい。
【００２０】
このような画面拡大レンズ１０は、ノート型コンピュータ２０の画面２２のすぐ下にキーボード２４等があって画面２２を下方に拡大できない場合であっても、ノート型コンピュータ２０の画面２２を左右方向および上方向に、画面２２よりも大きく均等に拡大することがでる。そして画面拡大レンズ１０は、画面２２を構成しているドットに合わせて溝を切っているので、綺麗な拡大画像を得ることができる。
【図面の簡単な説明】
【００２１】
【図１】画面拡大レンズの使用状態を示す正面図である。
【図２】画面拡大レンズの使用状態を示す側面図である。
【符号の説明】
【００２２】
１０………画面拡大レンズ、２０………ノート型コンピュータ、２２………画面。
【図１】
2007033615.tif 000003
【図２】
2007033615.tif 000004